(57)【要約】【課題】  ガス配管Ｌの試験口を適正に使用する場合には、試験器具の接続等を簡易に行うことができ、且つ試験口を簡易に悪用することができない構造を得る。【解決手段】  試験口形成部Ｌａに取り付けられる取付部１１ａ、内部に試験口形成部Ｌａの開口Ｌａ０に連通する開口室部１１ｂ、開口室部１１ｂから先端側に通じる開口孔部１１ｃ、開口孔部１１ｃを閉塞するように付勢された弁体１２、開口孔部１１ｃに連通する取付雌部１１ｄを有する弁閉塞具１０と、取付雄部２０ａを取付雌部１１ｄに取り付けることによって開口孔部１１ｃを塞ぐ蓋具２０と、接続部３１ａ、取付雄部３２ｂ、取付雄部３２ｂが取付雌部１１ｄに取り付けられることによって開口孔部１１ｃと接続部３１ａの先端開口３１ｂとを連通させる開口部３１ｃ、弁体１２を付勢力に抗して押圧作動するための作動軸３３を有するプラグ具とからなる。試験口の非使用時には弁閉塞具１０に蓋具２０を取り付け、試験口の使用時には弁閉塞具１０に蓋具２０に換えてプラグ具３０を取り付ける。【選択図】図２
2005207865.tif 000002
【特許請求の範囲】
【請求項１】
ガス配管の途中に開口を形成する試験口形成部に取り付けられる取付部が基端側に形成され、前記基端側の内部に前記試験口形成部の開口に連通する開口室部を有すると共に、該開口室部から先端側に通じる開口孔部を有し、前記開口室部には前記開口孔部を閉塞するように付勢された弁体が設けられ、先端側の内部には前記開口孔部に連通する凹状の取付雌部が形成された弁閉塞具と、
前記取付雌部に取り付けられる取付雄部が形成され、該取付雄部を前記取付雌部に取り付けることによって前記開口孔部を塞ぐ蓋具と、
先端側に接続部が形成され、基端側に前記取付雌部に取り付けられる取付雄部が形成され、該取付雄部が前記取付雌部に取り付けられることによって前記開口孔部と前記接続部の先端開口とを連通させる開口部を有し、該開口部に前記弁体を付勢力に抗して押圧作動するための作動軸が設けられたプラグ具とからなるガス配管の試験口構成具。
【請求項２】
前記蓋具は、前記弁閉塞具の取付雌部を平坦に塞ぐ表面部を備え、該表面部に特殊工具を要する着脱操作溝が形成されていることを特徴とする請求項１に記載されたガス配管の試験口構成具。
【請求項３】
ガス配管の途中に開口を形成する試験口形成部を設け、内部に前記開口に連通する開口孔部を有して、該開口孔部を閉塞するように付勢する弁体が設けられた弁閉塞具を、前記試験口形成部に取り付け、該弁閉塞具の先端側に形成されて前記開口孔部に連通する取付雌部に、着脱に特殊工具を要する蓋具を取り付けたことを特徴とするガス配管の試験口構造。
【請求項４】
先端側に接続部が形成され、前記開口孔部と前記接続部の先端開口とを連通させる開口部を有して、該開口部に前記弁体を付勢力に抗して押圧作動するための作動軸が設けられたプラグ具を、前記蓋具を取り外した前記弁閉塞具の取付雌部に取り付けたことを特徴とする請求項３に記載されたガス配管の試験口構造。
【請求項５】
前記試験口形成部は、ガスメータの継手部分に設けられることを特徴とする請求項３又は４に記載されたガス配管の試験口構造。
【発明の詳細な説明】
【技術分野】
【０００１】
本発明は、漏洩試験等に用いられる試験口を構成するためにガス配管に取り付けられる試験口構成具及びガス配管の試験口構造に関するものである。
【背景技術】
【０００２】
建物内等にガス配管を敷設した場合には、このガス配管にガスを供給する前に漏洩試験を行い、漏洩が無いことを確認した後に、このガス配管内の空気とガスを置換するエアパージを行うことが一般になされている。この際に、敷設されたガス配管にガス栓が有る場合には、このガス栓に試験器具（水柱ゲージ）を接続するなどして前述した漏洩試験等が行われるが、最近の住宅等に敷設されるガス配管には取り扱い易い位置にガス栓が無いことも多々あるので、ガス配管の上流側に設けられるガスメータの継手部分に試験口を形成して、そこに試験器具等を接続することがなされている。
【０００３】
下記の特許文献１等に記載される従来例では、この試験口にプラグを取り付けて、試験器具を容易に着脱できるようにすると共に、試験口の開口状態を漏洩試験時の小さな開口とエアパージ時の大きな開口とに切り換えることなどが提案されている。
【０００４】
図１は、下記特許文献１に記載された従来例であり、ガス配管Ｌの試験口形成部Ｌａの開口にプラグＰを取り付けたものである。このプラグＰは、プラグ本体Ｐ１、弁体Ｐ２、弁体Ｐ２を常時閉塞状態に付勢するバネＰ３によって構成されている。
【０００５】
プラグ本体Ｐ１は、試験口形成部Ｌａの開口に螺合されるネジ部Ｐ１１を有すると共に、試験器具のソケットが接続する接続部Ｐ１２を有しており、その内部には、ガス流通経路として３段階の開口径を有する開口孔（開口孔Ｐ１３，Ｐ１４，Ｐ１５）が形成されている。また、弁体Ｐ２は、プラグ本体Ｐ１のガス流通経路において開口孔Ｐ１３から開口孔Ｐ１４に至るテーパ面に形成された弁座Ｐ１６に当接してガス流通経路を閉塞させるテーパ面Ｐ２１を有すると共に、前記の開口孔Ｐ１４に密接する外周面Ｐ２２を有しており、更にこの外周面Ｐ２２にガス流通溝が形成されている。また、弁体Ｐ２の図示上端には、開口孔Ｐ１３内に突出する作動軸Ｐ２３が設けられている。
【０００６】
この従来例のプラグＰによると、常時はバネＰ３の付勢力によって弁体Ｐ２のテーパ面Ｐ２１がプラグ本体Ｐ１の弁座Ｐ１６に当接してガス流通経路を閉塞しており、プラグ本体Ｐ１の接続部Ｐ１２に試験器具のソケットを接続することで、このソケットが備える押圧部が作動軸Ｐ２３を押圧して弁体Ｐ２のテーパ面Ｐ２１がプラグ本体Ｐ１の弁座Ｐ１６から離れ、弁体Ｐ２の外周面Ｐ２２に形成されたガス流通溝を経由したガス流通経路が開放されることになる。また、エアパージ時には、更に作動軸Ｐ２３を押し下げる補助軸を介して弁体Ｐ２を押圧することによって、弁体Ｐ２のテーパ面Ｐ２１を開口孔Ｐ１５に落とし込み、弁体Ｐ２と開口孔Ｐ１５の間隙を介したガス流通経路を開放するようにしている。
【０００７】
【特許文献１】特開平７−３３３１００号公報
【発明の開示】
【発明が解決しようとする課題】
【０００８】
前述した従来例のように、ガス配管の試験口形成部にプラグを取り付けたものでは、プラグの非使用時には、プラグの接続部にねじ込み式等の保護キャップを被せることがなされている。しかしながら、このプラグがガスメータの継手部分などの目に付き易い箇所に取り付けられることから、プラグの保護キャップを外してガス器具の接続ホース等を接続するなどして、簡易にガスの無断流出が可能になるという問題がある。
【０００９】
また、特殊な工具が無くても、保護キャップを外してプラグの開口孔を露出させることができるので、いたずら等によってガス漏洩が生じやすいという問題もある。
【００１０】
本発明は、このような事情に対処するために提案されたものであって、ガス配管の試験口を適正に使用する場合には、試験器具の接続等を簡易に行うことができ試験等の良好な作業性が得られるが、この試験口を簡易に悪用することができないようにしたガス配管の試験口構成具及び試験口構造を提供することを目的とするものである。
【課題を解決するための手段】
【００１１】
このような目的を達成するために、本発明は以下の特徴を具備するものである。
【００１２】
先ず、ガス配管の試験口構成具としては、第１には、ガス配管の途中に開口を形成する試験口形成部に取り付けられる取付部が基端側に形成され、前記基端側の内部に前記試験口形成部の開口に連通する開口室部を有すると共に、該開口室部から先端側に通じる開口孔部を有し、前記開口室部には前記開口孔部を閉塞するように付勢された弁体が設けられ、先端側の内部には前記開口孔部に連通する凹状の取付雌部が形成された弁閉塞具と、前記取付雌部に取り付けられる取付雄部が形成され、該取付雄部を前記取付雌部に取り付けることによって前記開口孔部を塞ぐ蓋具と、先端側に接続部が形成され、基端側に前記取付雌部に取り付けられる取付雄部が形成され、該取付雄部が前記取付雌部に取り付けられることによって前記開口孔部と前記接続部の先端開口とを連通させる開口部を有し、該開口部に前記弁体を付勢力に抗して押圧作動するための作動軸が設けられたプラグ具とからなることを特徴としている。
【００１３】
第２には、前述のガス配管の試験口構成具において、前記蓋具は、前記弁閉塞具の取付雌部を平坦に塞ぐ表面部を備え、該表面部に特殊工具を要する着脱操作溝が形成されていることを特徴とする。
【００１４】
そして、ガス配管の試験口構造としては、第１に、ガス配管に開口を形成する試験口形成部を設け、内部に前記開口に連通する開口孔部を有して、該開口孔部を閉塞するように付勢する弁体が設けられた弁閉塞具を、前記試験口形成部に取り付け、該弁閉塞具の先端側に形成されて前記開口孔部に連通する取付雌部に、着脱に特殊工具を要する蓋具を取り付けたことを特徴とする。
【００１５】
第２には、前述のガス配管の試験口構造において、先端側に接続部が形成され、前記開口孔部と前記接続部の先端開口とを連通させる開口部を有して、該開口部に前記弁体を付勢力に抗して押圧作動するための作動軸が設けられたプラグ具を、前記蓋具を取り外した前記弁閉塞具の取付雌部に取り付けたことを特徴とする。
【００１６】
第３には、前述のガス配管の試験口構造において、前記試験口形成部は、ガスメータの継手部分に設けられることを特徴とする。
【００１７】
前述した特徴を有するガス配管の試験口構成具によると、ガス配管の途中に開口を形成する試験口形成部に、弁閉塞具を取り付け、その弁閉塞具に蓋具を取り付けた状態で、試験口非使用時の試験口構造を構成し、また、弁閉塞具に取り付けられた蓋具を取り外して、そこにプラグ具を取り付けることによって、試験口使用時の試験口構造を構成することができる。
【００１８】
弁閉塞具は、常時は弁体によって開口孔部が閉塞されているので、蓋具が取り外された場合にもガスの漏洩が生じることはない。また弁閉塞具は、試験口非使用時にはプラグ具が取り外されており、プラグ構造を有さないので、ガス流出用の接続ソケットを接続することができない構造になっている。また、非使用時には蓋具で塞がれているので、ガスの取り出し口として機能することが比較的判り難い状態になっており、これによっていたずら等の発生を抑制する効果も得られる。
【００１９】
そして、試験口使用時にプラグ具を弁閉塞具に取り付けた場合には、簡易に試験器具の接続具（ソケット）をプラグ具の接続部に接続して、プラグ具内に設けた作動軸を介して弁閉塞具の弁体を押圧作動し、弁体によるガス流通経路の閉塞を開放することができる。
【００２０】
また、蓋具の表面を、弁閉塞具の取付雌部を平坦に塞ぐ表面部を備える構成にすることで、前述したいたずら等の抑止効果をより高めることが可能であり、更には、この表面部に特殊工具を要する着脱操作溝を形成することで、簡単に蓋具を取り外すことができなくなり、保安効果を更に高めることができる。
【００２１】
そして、試験口形成部をガスメータの継手部分に設けることで、開口を有する継手部材を一つ挿入するだけで、簡単にガス配管の途中に試験口を形成することができる。
【発明の効果】
【００２２】
このような特徴を有するガス配管の試験口構成具或いは試験口構造によると、ガス配管の試験口を適正に使用する場合には、試験器具の接続等を簡易に行うことができ試験等の良好な作業性が得られるが、この試験口を簡易に悪用することができないという効果が得られる。
【発明を実施するための最良の形態】
【００２３】
以下に、本発明の実施形態を、図面を参照して説明する。図２は、本発明の実施形態に係るガス配管の試験口構成具を説明する説明図である。この試験口構成具は、ガス配管Ｌの途中に設けられる試験口形成部Ｌａに取り付けられる弁閉塞具１０、この弁閉塞具１０の先端側に選択的に取り付けられる蓋具２０及びプラグ具３０からなるものである。
【００２４】
個々に説明すると、先ず、弁閉塞具１０は、弁閉塞具本体１１の基端側に試験口形成部Ｌａに取り付けられる取付部１１ａが形成され、その内部に試験口形成部Ｌａの開口Ｌａ０に連通する開口室部１１ｂを有し、更に開口室部１１ｂから弁閉塞具本体１１の先端側に通じる開口孔部１１ｃを有するものであり、開口室部１１ｂには開口孔部１１ｃを閉塞するように付勢された弁体１２が設けられ、また、弁閉塞具本体１１の先端側の内部には開口孔部１１ｃに連通する凹状の取付雌部１１ｄが形成されている。
【００２５】
更に詳細に説明すると、弁閉塞具本体１１の基端側内部には、試験口形成部Ｌａの開口Ｌａ０に連通する開口１３ａを有する止め部材１３が取り付けられており、この止め部材１３に支持されて開口室部１１ｂ内にバネ１４が配備されている。そして、このバネ１４の付勢力によって、弁体１２の先端テーパ面が開口孔部１１ｃの端部に形成されるテーパ状の弁座に当接することで、弁体１２が開口孔部１１ｃを閉塞するようになっている。
【００２６】
弁閉塞具本体１１における取付部１１ａ及び取付雌部１１ｄの取付構造は、図示の例ではネジによる取付構造を示しているが、これに限らず、気密な取り付けが可能な構造であれば他の構造を採用することもできる。また、取付雌部１１ｄの先端部分には封止部材受け部１１ｅが必要に応じて形成されている。
【００２７】
このような弁閉塞具１０の取付雌部１１ｄに取り付けられる蓋具２０は、取付雌部１１ｄに取り付けられる取付雄部２０ａが形成され、この取付雄部２０ａを弁閉塞具１０の取付雌部１１ｄに取り付ける（ネジ構造の場合にはねじ込む）ことによって、弁閉塞具１０の開口孔部１１ｃを塞いでいる。
【００２８】
図示の例による蓋具２０は、弁閉塞具１０の取付雌部１１ｄを平坦に塞ぐ表面部２０ｂを備えており、この表面部２０ｂに特殊工具を要する着脱操作溝２０ｃが形成されている。したがって、この蓋具２０を弁閉塞具１０に対して着脱する際には、着脱操作溝２０ｃに特殊工具を装着する必要があり、特殊工具無しには容易に蓋具２０の着脱ができないようになっている。
【００２９】
また、この蓋具２０に換わって、弁閉塞具１０の取付雌部１１ｄに取り付けられるプラグ具３０は、プラグ具本体３１の先端側に接続部３１ａが形成され、接続部３１ａの先端には先端開口３１ｂが形成されており、その内部に開口部３１ｃが形成されている。そして、この開口部３１ｃ内には連通孔３２ａを有する支持部材３２が装着されており、この支持部材３２に支持されて開口部３１ｃに作動軸３３が軸方向に摺動自在に設けられている。また、支持部材３２の基端側には前記の取付雌部１１ｄに取り付けられる取付雄部３２ｂが形成されている。
【００３０】
したがって、このプラグ具３０における取付雄部３２ｂを弁閉塞具１０の取付雌部１１ｄに取り付けることによって、弁閉塞具１０の開口孔部１１ｃとプラグ具３０の先端開口３１ｂとが開口部３１ｃ或いは連通孔３２ａを介して連通されることになる。また、作動軸３３は、軸方向に摺動して、弁閉塞具１０の弁体１２をバネ１４の付勢力に抗して押圧作動する機能を有する。
【００３１】
このような試験口構成具を用いたガス配管の試験口構造を図３及び図４によって説明する。図３及び図４においては、図２と共通の箇所に同じ符号を付して一部説明を省略する。
【００３２】
図３は、本発明の実施形態に係るガス配管の試験口構造で、試験口非使用時の状態を示すものである。この際には、試験口形成部Ｌａに弁閉塞具１０を取り付けて、弁閉塞具１０の取付雌部１０ｄに蓋具２０を取り付けている。蓋具２０の取り付けに際しては、弁閉塞具１０の封止部材受け部１１ｅと蓋具２０の裏面との間に封止部材（パッキン等）４０が設けられ、弁閉塞具１０内の防水性能を確保しており、また、弁閉塞具本体１１、蓋具２０、封止部材４０を耐火材にすることで、全体の耐火性能を確保している。
【００３３】
この状態では、弁閉塞具１０の先端側は蓋具２０の取り付けによって平坦になっているので、試験口の存在自体が目立たない状態になっており、これによって、いたずら等の発生を抑制する効果が得られる。また、プラグ機能を有する構造がないので、試験口を悪用してガスを取り出すことができないようになっている。
【００３４】
更には、蓋具２０の表面部２０ｂに設けられた着脱操作溝２０ｃを操作するためには特殊工具が必要になるので、この特殊工具無しには容易に蓋具２０を取り外すことができないようになっている。また、仮に蓋具２０が取り外された場合にも、弁閉塞具１０内の開口室部１１ｂに設けられた弁体１２は、バネ１４に付勢されて開口孔部１１ｃを閉塞しているので、ガスが漏洩することはない。更に、この弁閉塞具１０における弁体１２には作動軸が連結されていないので、開口孔部１１ｃの径を充分小さくしておけば、容易に弁体１２を押し下げることはできない。
【００３５】
したがって、本発明の実施形態においては、試験口の非使用時には、試験口の保安性を充分に確保することができ、且つ試験口を容易に悪用することができない構造になっている。
【００３６】
そして、図４は、作業者が特殊工具を用いて蓋具２０を取り外し、それに換えて弁閉塞具１０の取付雌部１１ｄにプラグ具３０を取り付けた状態を示している。
【００３７】
この状態では、プラグ具３０の接続部３１ａに試験器具の接続部を接続するだけで、簡易に試験を行うことができる。すなわち、接続部３１ａに試験器具の接続部を接続すると、その接続部の機能によって、矢印で示すように、プラグ具３０の開口部３１ｃ内に設けられた作動軸３３が押圧されて軸方向に摺動することになり、この作動軸３３が弁閉塞具１０の開口孔部１１ｃ内に挿入して弁体１２を押し下げ、試験口形成部Ｌａの開口Ｌａ０〜開口１３ａ〜開口室部１１ｂ〜開口孔部１１ｃ〜連通孔３２ｂ〜開口部３１ｃ〜先端開口３１ｂに至るガス流通経路を形成し、試験口を開放状態にする。これによって、試験器具の接続部を接続するだけで、簡単に試験口を開放して漏洩等の試験を行うことが可能になる。
【００３８】
すなわち、本発明の実施形態においては、蓋具２０の取り外すための専用の特殊工具や専用のフラグ具３０を持たない人は、簡易に試験口を開放することができないようになっており、逆に、このような専用具を所有する専門作業者にとっては、簡易に試験口を開放して試験等の作業を行うことができるようになっている。
【００３９】
最後に、ガス配管Ｌの試験口形成部Ｌａについて説明すると、これはガス配管Ｌのガス流路に連通する開口Ｌａをガス配管Ｌの途中に形成するものであればよいが、適切には、ガス配管Ｌの適当な継手部分に開口を有する接続部材を挿入することによって形成することができる。特には、ガスメータの継手部分に接続部材を挿入することで、ガスメータから下流側のガス配管に対する漏洩試験等を行うための試験口形成部Ｌａを形成することができる。
【００４０】
以上説明したように、本発明の実施形態によると、専門の作業者によってガス配管Ｌの試験口を適正に使用する場合には、試験器具の接続等を簡易に行うことができ、試験等の良好な作業性が得られるが、それ以外の人がこの試験口を簡易に悪用することができない構造の試験口を構成することができる。
【図面の簡単な説明】
【００４１】
【図１】従来技術の説明図である。
【図２】本発明の実施形態に係るガス配管の試験口構成具を説明する説明図である。
【図３】本発明の実施形態に係るガス配管の試験口構造で、試験口非使用時の状態を示すものである。
【図４】本発明の実施形態に係るガス配管の試験口構造で、試験口使用時の状態を示すものである。
【符号の説明】
【００４２】
１０    弁閉塞具
１１    弁閉塞具本体
１１ａ    取付部
１１ｂ    開口室部
１１ｃ    開口孔部
１１ｄ    取付雌部
１１ｅ    封止部材受け部
１２    弁体
１３    止め部材
１３ａ    開口
１４    バネ
２０    蓋具
２０ａ    取付雄部
２０ｂ    表面部
２０ｃ    着脱操作溝
３０    プラグ具
３１    プラグ具本体
３１ａ    接続部
３１ｂ    先端開口
３１ｃ    開口部
３２    支持部材
３２ａ    連通孔
３２ｂ    取付雄部
３３    作動軸
Ｌ    ガス配管
Ｌａ    試験口形成部
Ｌａ０    開口
【図１】
2005207865.tif 000003
【図２】
2005207865.tif 000004
【図３】
2005207865.tif 000005
【図４】
2005207865.tif 000006